(57)【要約】【課題】鉄塔又は電柱において送電線を支持するがいしを固定するがいし固定具上を被覆して鳥類の飛来及び営巣を防止するための鳥害防止具を提供する。【解決手段】半筒状のカバー部２と、がいし固定具７ａ上をカバー部２により被覆しつつ，カバー部２の稜線２ｄ方向と送電線９の伸長方向を一致させながらカバー部２を取設する，少なくとも１つの支持部３と、を有し、カバー部２の湾曲辺２ａは，このカバー部２の突面２ｆ側に緩やかに反り，カバー部２上に物体が載ったり又は落下した際に，カバー部２の湾曲辺２ａから物体が滑落するのを妨げ，稜線２ｄ方向に形成される端辺２ａから滑落させることを特徴とする鳥害防止具による。【選択図】図２
2013153561.tif 000002
【特許請求の範囲】
【請求項１】
鉄塔又は電柱において送電線を支持するがいしを固定するがいし固定具上を被覆して鳥類の飛来及び営巣を防止するための鳥害防止具であって、
半筒状のカバー部と、前記がいし固定具上を前記カバー部により被覆しつつ，前記カバー部の稜線方向と前記送電線の伸長方向を一致させながら前記カバー部を取設する，少なくとも１つの支持部と、を有し、
前記カバー部の湾曲辺は，このカバー部の突面側に緩やかに反り，前記カバー部上に物体が載ったり又は落下した際に，前記カバー部の前記湾曲辺から前記物体が滑落するのを妨げ，前記稜線方向に形成される端辺から滑落させることを特徴とする鳥害防止具。
【請求項２】
前記カバー部の４つの角は、前記突面側に，前記湾曲辺中央よりも大きく反り，前記カバー部上の前記湾曲辺近傍に物体が載ったり又は落下した際に，前記カバー部の稜線方向に形成される前記端辺の中央側に前記物体を誘導することを特徴とする請求項１記載の鳥害防止具。
【請求項３】
前記カバー部の稜線方向に形成される前記端辺は，前記カバー部の前記突面側に緩やかに反り、
前記カバー部上に物体が載ったり又は落下した際に，前記物体が滑り降りる力で前記カバー部の前記端辺から外側へ滑落させることを特徴とする請求項１又は請求項２に記載の鳥害防止具。
【請求項４】
前記支持部は、弾性体を備え、前記カバー部を復元可能に傾動させることを特徴とする請求項１乃至請求項３のいずれか１項に記載の鳥害防止具。
【発明の詳細な説明】
【技術分野】
【０００１】
本発明は、鉄塔又は電柱に架設される送電線への鳥類の接触や営巣材の接触により生じる被害を防止するための鳥害防止具に関する。
【背景技術】
【０００２】
従来、送電線を支持する鉄塔又は電柱に鳥類が飛来して止まったり、営巣する場合があり、鳥類そのものや営巣材が送電線に接触して送電線に被害が生じていた。
このため、従来から鳥類や営巣材による被害を防止する目的で、鉄塔又は電柱に鳥類が飛来しないよう針型の構造物を設置するなどの工夫がなされてきた。
この場合、鳥類が飛来した際の足場となるのを好適に防止できる反面、営巣にはかえって好都合になってしまい、根本的に課題を解決することができなかった。
上述のような課題に対処するためにいくつかの発明や考案が開示されている。
【０００３】
特許文献１には「鳥害防止ネット」という名称で、例えば送電線を支持する鉄塔等に取り付けられ、鉄塔等への鳥類の飛来を妨害して、鳥害から送電線の鉄塔等の電力設備を保護する鳥害防止ネットに関する発明が開示されている。
また特許文献２には、「送電線用鉄塔の鉄骨連結部用鳥害防止具」という名称で、送電線用鉄塔の鉄骨連結部の内側に取り付ける三角形状の平板体からなり、カラスや鳩などの鳥類が巣を作ったりして起こる漏電事故等の鳥害を防止する器具に関する考案が開示されている。
特許文献３には「鳥害防止装置」という名称で、鉄塔等に固定されてカラス等の鳥類が営巣したり、その他の生物が腕金と電線間を地絡させることによって発生する地絡事故を防止する目的で、構造物に可動性を付与して鳥類が慣れないようにした鳥害防止装置に関する発明が開示されている。
特許文献４には「鳥害防止具および鳥害防止方法」という名称で、送電用鉄塔などに使用されているボルトの先端部分に取り付けて使用し、鳥が忌避する動物の目に模した模様を備えて鳥を寄せ付けないようにした鳥害防止具および鳥害防止方法が開示されている。
特許文献５には「鳥害防止具」という名称で、建造物の横桟等或いは屋外における電線やワイヤー等に鳥が止まることを防止するための半筒体からなる鳥害防止具に関する考案が開示されている。
特許文献６には「小動物の侵入，脱出防止装置」という名称で、野良猫やりす，鼠、或は、カラス等の有害小動物が垣や塀或いは柵を越えて侵入したり、これらの上を渡り歩くのを防止できると共に、ペットとして飼育している猫，りす，モルモット或いは小型の爬虫類等の小動物が塀を越えて脱出するのを防止する目的で、表面が平滑な金属板又は合成樹脂板から成る基板を、頂部を丸みのある鋭角状に形成すると共に、該頂部の前後側を弯曲状に膨出させて下部を垂直な立壁部に形成して成り、塀の上端部に被着し、前記立壁部を塀の壁面に固定してなる小動物の侵入，脱出防止装置に関する考案が開示されている。
【先行技術文献】
【特許文献】
【０００４】
【特許文献１】特開２００９−１８３１６６号公報
【特許文献２】実登３０７０８０８号公報
【特許文献３】特開２０１０−２８４０９３号公報
【特許文献４】特開２００８−１９９９８５号公報
【特許文献５】実登３００６９７５号公報
【特許文献６】実登３０６８４３３号公報
【発明の概要】
【発明が解決しようとする課題】
【０００５】
上述の特許文献１に開示される鳥害防止ネットは、鉄塔のアームの先端近傍の特に鳥が飛来し易い箇所への設置が困難であった。
また、特許文献２に開示される送電線用鉄塔の鉄骨連結部用鳥害防止具の場合は、鳥類の飛来防止には一定の効果を発揮すると考えられるものの、特許文献２に開示される考案を取り付けることでかえって、鉄塔への営巣が容易になる場合もあり、結果として、課題の根本的な解決には至らなかった。
特許文献３，４に開示される発明や考案の場合は、一時的な鳥類の忌避効果しか期待できず、やはり、課題の根本的な解決には至らなかった。
特許文献５や特許文献６に開示される考案の場合は、鉄塔のアームの先端近傍において鳥類の飛来や営巣を好適に防止できると考えられるものの、特許文献５や特許文献６に開示される考案の取付け方向によっては、送電線上への鳥類自体や、営巣材の滑落が促進されることが予測され、かえって送電線への物体の接触事故を誘発する恐れがあり好ましくなかった。
【０００６】
本発明はかかる従来の事情に対処してなされたものでありその目的は、鉄塔のアームの先端近傍においてがいしを固定するがいし固定具上を被覆して、このがいし固定具上への鳥類等の飛来や、営巣材の載置を防止するとともに、本発明に係る鳥害防止具上に鳥類などの生体を含む物体が載ったり、又は、落下した場合に、送電線上への物体の滑落を好適に防止できる鳥害防止具を提供することにある。
【課題を解決するための手段】
【０００７】
上記目的を達成するため請求項１記載の発明である鳥害防止具は、鉄塔又は電柱において送電線を支持するがいしを固定するがいし固定具上を被覆して鳥類の飛来及び営巣を防止するための鳥害防止具であって、半筒状のカバー部と、がいし固定具上をカバー部により被覆しつつ，カバー部の稜線方向と送電線の伸長方向を一致させながらカバー部を取設する，少なくとも１つの支持部と、を有し、カバー部の湾曲辺は，このカバー部の突面側に緩やかに反り，カバー部上に物体が載ったり又は落下した際に，カバー部の湾曲辺から物体が滑落するのを妨げ，稜線方向に形成される端辺から滑落させることを特徴とするものである。
上記構成の請求項１記載の発明において、カバー部の外形を半筒状にすることで、覆設対象物の上面が飛来する鳥類の足場となったり，営巣材の載置場所になるのを妨げるという作用を有する。また、支持具は、カバー部の稜線方向と送電線の伸長方向を一致させながらカバー部を取設するという作用を有する。
そして、カバー部の稜線方向と送電線の伸長方向を一致させるとともに、カバー部の湾曲辺をその突面側に緩やかに反らせることで、カバー部の突面側に物体が載ったり又は落下した際に、カバー部の湾曲辺から物体が滑落するのを妨げるという作用を有する。
【０００８】
請求項２記載の発明である鳥害防止具は、請求項１記載の鳥害防止具であって、カバー部の４つの角は、突面側に，湾曲辺中央よりも大きく反り，カバー部上の湾曲辺近傍に物体が載ったり又は落下した際に，カバー部の稜線方向に形成される端辺の中央側に物体を誘導することを特徴とするものである。
上記構成の請求項２記載の発明は、請求項１記載の発明と同じ作用に加えて、カバー部の４つの角を突面側に、湾曲辺中央よりも大きく反らせることで、特に、カバー部上の湾曲辺近傍に物体が載ったり又は落下した際に、カバー部の稜線方向に形成される端辺の中央側に物体を誘導しながら滑落させるという作用を有する。
【０００９】
請求項３記載の発明である鳥害防止具は、請求項１又は請求項２に記載の鳥害防止具であって、カバー部の稜線方向に形成される端辺は，カバー部の突面側に緩やかに反り、カバー部上に物体が載ったり又は落下した際に，物体が滑り降りる力でカバー部の端辺から外側へ滑落させることを特徴とするものである。
上記構成の請求項３記載の発明は、請求項１又は請求項２記載の発明と同じ作用に加えて、カバー部の稜線方向に形成される端辺を、カバー部の突面側に緩やかに反らせておくことで、カバー部上に物体が載ったり又は落下した際に、物体が滑り降りる力で物体を、カバー部の端辺から外側へ滑落させるという作用を有する。
【００１０】
請求項４記載の発明である鳥害防止具は、請求項１乃至請求項３のいずれか１項に記載の鳥害防止具であって、支持部は、弾性体を備え、カバー部を復元可能に傾動させることを特徴とするものである。
上記構成の請求項４記載の発明は、請求項１乃至請求項３のそれぞれに記載の発明と同じ作用に加えて、支持部に弾性体を備えることで、カバー部を復元可能に傾動させるという作用を有する。これにより、特に、カバー部上に物体が載ったり又は落下した際に、その荷重によりカバー部を傾動させて、カバー部上に載ったり又は落下した物体の滑落を促進するという作用を有する。また、カバー部の上面側から物体が取り除かれてカバー部が荷重から開放された場合に、カバー部を元の位置に復元させるという作用を有する。
また、カバー部上に鳥類等の生体が飛来して止った場合にも、その荷重により傾動して、飛来した鳥類等の生体に対して、足場が不安定な感触を与えて、以後、カバー部上への飛来を忌避させるという作用も有する。
【発明の効果】
【００１１】
本発明の請求項１記載の発明によれば、カバー部上に鳥類等の生体を含む物体が載ったり又は落下した場合に、この物体を、カバー部の湾曲辺からではなく稜線方向に形成される端辺から確実に滑落させることができる。
また、請求項１記載の発明である鳥害防止具は、カバー部の稜線方向と送電線の伸長方向が一致するように取付けられているので、カバー部上に載ったり又は落下した物体が、送電線上に落下するのを防止することができる。
すなわち、カバー部上に載ったり又は落下した物体を、送電線に接触しないように落下させることができる。この結果、カバー部上に載ったり又は落下した物体と送電線との接触事故が起こるのを防止できる。
つまり、請求項１記載の発明によれば、カバー部の外形が半筒状であることにより、送電線を支持固定するがいしのがいし固定具上が、鳥類が飛来した際の足場になったり、営巣材を含む物体をがいし固定具上に載置するのを妨げることができる。
さらに、請求項１記載の発明によれば、カバー部の稜線方向と送電線の伸長方向を一致させながらカバー部を取り付けるとともに、カバー部の湾曲辺を突面側に緩やかに反らせておこくとで、万一、カバー部上に鳥類等の生体を含む物体が載ったり又は落下した場合でも、この物体を、送電線に接触させることなくカバー部上から排除することができる。
従って、請求項１記載の鳥害防止具を備えることで、送電線において鳥類等の生体を含む物体との接触事故を確実に低減できる。
【００１２】
請求項２記載の発明は、請求項１記載の発明と同じ効果に加えて、カバー部上を物体が滑落する際に、その勢いで物体がカバー部の湾曲辺に形成される反りを超えて落下するのを防止できる。つまり、滑落時の運動エネルギーが特に大きくなるカバー部の端辺近傍の角の反りを大きくしておくことで、滑落時に物体がカバー部の湾曲辺から飛び出して落下するのを防止できる。
すなわち、請求項１に記載の発明の場合よりもより確実に、カバー部の湾曲辺から物体が落下するのを防止できる。
この結果、請求項２記載の発明を備えることで、鳥類等の生体を含む物体と送電線との接触事故の発生を一層確実に防止できる。
【００１３】
上記構成の請求項３記載の発明によれば、請求項１又は請求項２に記載の発明に加えて、カバー部上に載ったり又は落下した物体を、カバー部から離れさせながら落下させることができる。
これにより、カバー部上に載ったり又は落下した物体をカバー部の端辺から落下させる際に、物体がカバー部の下に配される送電線に接触するリスクを一層低減できる。
この結果、請求項３記載の発明を備えることで、鳥類等の生体を含む物体と送電線との接触事故の発生を一層確実に防止できる。
【００１４】
請求項４記載の発明によれば、請求項１乃至請求項３のそれぞれに記載の発明と同じ効果に加えて、カバー部上に載ったり又は落下した物体の滑落による排除を促進することができるとともに、カバー部上に飛来しようとする鳥類等を含む生体の忌避効果をも発揮させることができる。
【図面の簡単な説明】
【００１５】
【図１】本発明の実施の形態に係る鳥害防止具の湾曲辺側から見た斜視図である。
【図２】本発明の実施の形態に係る鳥害防止具の端辺側から見た斜視図である。
【図３】本発明の実施の形態に係る鳥害防止具を取り付ける鉄塔の一例を示す側面図である。
【図４】（ａ）本発明の実施の形態に係る鳥害防止具の使用状態を示す側面図であり、（ｂ）図４（ａ）中のＡ−Ａ線矢視断面図である。
【図５】本発明の実施の形態に係る鳥害防止具の他の使用状態を示す側面図である。
【発明を実施するための形態】
【００１６】
本発明の実施の形態に係る鳥害防止具について図１乃至図５を参照しながら詳細に説明する。
【００１７】
まず、本発明の実施の形態に係る鳥害防止具の形態について図１，２を参照しながら詳細に説明する。
図１は本発明の実施の形態に係る鳥害防止具の湾曲辺側から見た斜視図であり、図２は本発明の実施の形態に係る鳥害防止具の端辺側から見た斜視図である。
図１，２に示すように、本実施の形態に係る鳥害防止具１は、半筒状のカバー部２に、このカバー部２を被固定材５上に支持固定するための少なくとも１つの支持部３（図１，２では２本の場合を例示）を備えたものである。
このような鳥害防止具１は、被覆対象を被覆するカバー部２の外形形状が半筒状であり、かつ、このカバー部２の突面２ｆを鉛直上方に向けて取設することで、被覆対象上に鳥類等を含む生体が着地したり、被覆対象上に物体が落地したり載置されるのを妨げることができる。
また、この鳥害防止具１に係るカバー部２の湾曲辺２ａが、その突面２ｆ側に緩やかに反っていることで、図１に示すように、カバー部２上に鳥類等の生体を含む物体が着地あるいは落地したり、又は物体が載置されたりして、カバー部２上を物体が滑落する際に、カバー部２の湾曲辺２ａから物体が滑落するのを防止することができる。
【００１８】
なお、本実施の形態に係る鳥害防止具１は、例えば、図１，２に示すように、支持部３のカバー部２に接続されない側の端部に、例えば、断面Ｕ字形の固定具４を設けておき、棒状の、又は、平板体を鉛直方向に直立させた被固定材５にボルト等により固定できるよう構成してもよい。あるいは、図１，２に示されるような、固定具４に代えて、クランプ状の挟持具（図示せず）を備えても良い。また、支持部３の取り付け場所が、被固定材５のような棒状でなく、平坦面である場合には、支持部３の端部に平板材を取り付けておき、被固定場所である平坦面に鳥害防止具１を載置してボルト等を用いて、又は、溶接により固定してもよい。すなわち、被固定材５の形態に応じた適切な固定具４を備えていればよい。
【００１９】
ここで図３，４を参照しながら、本実施の形態に係る鳥害防止具１の使用方法ついて説明する。
本実施の形態に係る鳥害防止具１は、主に送電線を支持する鉄塔や電信柱において、送電線を支持するアームの先端部近傍に取り付けられて、アームの先端部への鳥類等の飛来や、鳥類等による営巣を防止するためのものである。なお、本実施の形態においては主に、鉄塔や電信柱のアームの先端部分への鳥類の飛来や営巣を防止するものであるが、鳥類以外の小動物（ネズミや、ムササビなど）の侵入をも妨げるものである。
図３は本発明の実施の形態に係る鳥害防止具を取り付ける鉄塔の一例を示す側面図である。また、図４（ａ）は本発明の実施の形態に係る鳥害防止具の使用状態を示す側面図であり、（ｂ）は図４（ａ）中のＡ−Ａ線矢視断面図である。なお、図１，２に記載されたものと同一部分については同一符号を付し、その構成についての説明は省略する。
図３に示すような、地上１６上に立設される鉄塔１０の鉄塔本体１４から延びるアーム１５の先端に送電線（図３には図示せず）を架設する場合、鉄塔１０と送電線とを絶縁するために、送電線は絶縁材であるがいしを介して鉄塔１０に固定されている。なお、図３中の符号Ｐで示す方向から見た様子を示したものが図４（ａ）である。
図３に示す鉄塔１０の鉄塔本体１４に設けられるアーム１５の先端には、図４（ａ）に示すように、被固定材５が架設されており、この被固定材５に、例えば、ボルトにより固定されるがいし固定材７ａを介してがいし６ａ（「支持がいし」、あるいは、「長幹がいし」ともいう）が鉛直下方側に向って突設され、このがいし６ａの下端にがいし固定材７ｂ及び送電線固定具８を介して送電線９が吊下げ保持されている。
【００２０】
図４（ａ）に示すような送電線９の固定構造において、がいし６ａを固定するがいし固定材７ａの上面は平坦であり、この形状が鳥類が止まる際の足場として、あるいは、鳥類の営巣場所として特に適している。そして、このがいし固定材７ａ上に鳥類が営巣した場合、営巣材やそこで羽化した雛等が落下して、がいし６ａの直下に保持される送電線９に接触して接触事故が発生するケースが絶えなかった。
このような事情に鑑み、発明者らは鋭意研究の結果、がいし固定材７ａ上を本実施の形態に係る鳥害防止具１により被覆して、飛来した鳥の足場になり難くするとともに、がいし固定材７ａ上への営巣材の載置を困難にすることで、送電線９と、鳥類を含む生体や営巣材との接触事故を好適に防止できることを見出した。
より具体的には、先の図１，２に示すような形態を有する本実施の形態に係る鳥害防止具１のカバー部２により、図４（ａ）に示すように、がいし固定材７ａの上面を被覆することで、鳥類を含む生体を着地しづらくするとともに、がいし固定材７ａ上への営巣材を含む物体の載置をできなくすることに成功した。
【００２１】
つまり、本実施の形態に係る鳥害防止具１におけるカバー部２上に、万一、鳥類等の生体が着地しようとしたり、営巣材を載置した場合は、カバー部２の外形が鉛直上方に突状に湾曲形状していることにより、生体自体や載置物をカバー部２から滑落させて排除することができる。
この場合、図４（ａ），（ｂ）に示すように、鉛直方向において、本実施の形態に係る鳥害防止具１を構成するカバー部２の稜線２ｄの伸長方向と送電線９の伸長方向を一致させるとともに、カバー部２の湾曲辺２ａを、カバー部２の突面２ｆ側に緩やかに反らせておくことで、カバー部２上に載ったり又は落下してきた物体が、カバー部２の湾曲辺２ａ側から滑落するのを好適に防止することができる。
つまり、がいし固定材７ａを被覆するカバー部２上に、生体を含む物体が載ったり又は落下した場合、この物体はカバー部２の湾曲形状に沿って端辺２ｂに向って滑落するのであるが、このとき、湾曲辺２ａは突面２ｆ側に緩やかに反っているので、滑落する物体は湾曲辺２ａからは落下せず、必ずカバー部２の端辺２ｂから落下することになる。
従って、本実施の形態に係る鳥害防止具１によれば、がいし固定材７ａ上に載ったり又は落下した物体が、送電線９上に落下するのを確実に防止できるので、送電線９と、生体を含む物体との接触事故の発生を防止できるのである。
【００２２】
さらに、本実施の形態に係る鳥害防止具１においては、図１、図２、図４（ａ）にも示すように、カバー部２の４つの角２ｃを、その突面２ｆ側に、その湾曲辺２ａ中央よりも大きく反らせておいてもよい。
この場合、カバー部２上に載ったり又は落下した物体が、カバー部２上を滑落する際の勢いで、カバー部２の角２ｃ近傍において湾曲辺２ａに形成される反りを越えて送電線９上に落下するのを防止できる。
つまり、カバー部２における角２ｃ近傍の大きな反りが堤防の役割をして、湾曲辺２ａ側に物体が落下するのを防止できる。
この結果、カバー部２の湾曲辺２ａからの物体の落下を一層確実に防止でき、これにより、送電線９と生体を含む物体との接触事故を一層確実に低減できる。
【００２３】
また、本実施の形態に係る鳥害防止具１においては、図１、図２、図４（ｂ）に示すように、カバー部２の端辺２ｂを、カバー部２の突面２ｆ側に緩やかに反らせておいてもよい。
この場合、カバー部２上に載ろうとした又は落下した物体が、カバー部２の湾曲面上を滑落して端辺２ｂから落下する際に、図４（ｂ）にも矢印で示すように、カバー部２から離れる方向に（カバー部２の端辺２ｂから外側に）付勢して落下させることができる。これにより、カバー部２上を滑落して落下する物体が、カバー部２の鉛直下方に配設される送電線９に（図４（ａ），（ｂ）を参照）接触するあるいは引っ掛かるリスクを一層低減することができる。
【００２４】
ここで、図４（ｂ）を参照しながら、被固定材５への本実施の形態に係る鳥害防止具１の取り付け方法について更に説明を加える。
図４（ｂ）に示すように、本実施の形態に係る鳥害防止具１は、例えば、カバー部２の湾曲内側面側に、稜線２ｄ方向と交差する向きに、平板状の補強部材２ｅを少なくとも１箇所設けておき、この補強部材２ｅに、例えば、羽子板ボルト状の支持部３を、例えば、ボルト等により、又は、溶接により固定してもよい。
この場合、例えば、図４（ｂ）に示すように、補強部材２ｅに複数個のボルト孔から成る位置決定孔１３を稜線２ｄ方向、すなわち送電線９の伸長方向と直角の方向に設けておいてもよい。これにより、がいし固定材７ａ上をカバー部２で確実に被覆することができるよう、支持部３の取り付け位置を適宜変更できるという効果を有する。
なお、カバー部２の補強部材２ｅにおいて、支持部３の取付け位置を変更可能にする手段は、必ずしも上述のような位置決定孔１３を設ける方法に限定される必要はなく、例えば、支持部３の固定具４に接続されない側の端部に挟持具を設けておき、平板状の補強部材２ｅの下端をスライド可能に挟持できるよう構成してもよい。すなわち、被覆対象である、例えば、がいし固定材７ａ上におけるカバー部２の相対位置を変更可能に構成されるものであればどのような構造を用いてもよい。
【００２５】
さらに、特に図示しないが、本実施の形態に係る鳥害防止具１における支持部３の棒状部分の少なくとも一部又は全部をコイルバネ等の弾性体に置換し、カバー部２上に荷重が作用した際に、カバー部２を復元可能に傾動させるよう構成してもよい。
この場合、カバー部２上に荷重が作用した際に、カバー部２の荷重が作用した位置が沈み込むなどして傾動することで、カバー部２上にある生体を含む物体の滑落を促進することができる。
より具体的には、例えば、カバー部２上の降雪があった際に、カバー部２は雪の重みで傾動して、雪をカバー部２の上面から好適に滑落させることができる。また、例えば、カバー部２上に鳥類等が止まった場合も、その荷重によりカバー部２自体が傾動して、カバー部２上の鳥類等のバランスを崩させてカバー部２上から鳥類等を排除できる。このとき、カバー部２に止まった鳥類等に対し、足場が不安定な不快感を与えて、以後、カバー部２上への飛来を忌避させる効果も期待できる。
加えて、傾動後にカバー部２を自然に復元するよう構成しておくことで、移動したカバー部２を元の位置に復元させて、覆設対象（例えば、がいし固定材７ａの上面など）を引き続き被覆して本来の作用，効果を継続して発揮させることができる。
【００２６】
また、本実施の形態に係る鳥害防止具１におけるカバー部２の材質は特に限定されないが、金属製又は合成樹脂製とすることで、成形を容易にするとともに、十分な耐久性や形状保持性も発揮させることができる。さらに、支持部３については強度等を考えると金属製とすることが望ましい。
なお、カバー部２の上面は、その表面における滑面性を高めるために可能な限り滑らかであることが望ましい。必要であれば、合成樹脂やその他の材質から成る塗膜をカバー部２の上面側に形成して滑面性を向上させたり、あるいは、カバー部２の表面に滑面性を高めるための表面加工を施してもよい。
【００２７】
従って、上述のような本実施の形態に係る鳥害防止具１によれば、送電線９上に配設される横架材や平板材上をカバー部２により被覆して、鳥類等の生体が飛来した際の足場になったり、鳥類等の営巣材の載置場所になるのを好適に防止できる。
また、万一、本実施の形態に係る鳥害防止具１のカバー部２上に鳥類等の生体を含む物体が（飛来し）載ったり又は落下した場合でも、カバー部２が湾曲形状を有し、かつ、その稜線と送電線の伸長方向を一致させて（略一致の概念も含む）取り付け、さらに、カバー部２の湾曲辺２ａに反りを形成しておくことで、カバー部２上にある物体がカバー部２の真下に配される送電線９に落下して接触事故を起こすリスクを大幅に低減できる。
従って、本実施の形態に係る鳥害防止具１を備えることで、鉄塔１０のアーム１５近傍における送電線９の安全性を高めることができる。
【００２８】
ここで図５を参照しながら本実施の形態に係る鳥害防止具１の他の取付け例について説明する。
図５は本発明の実施の形態に係る鳥害防止具の他の使用状態を示す側面図である。なお、図１乃至図４に記載されたものと同一部分については同一符号を付し、その構成についての説明は省略する。
本実施の形態に係る鳥害防止具１は、より大掛かりな送電線９の支持構造に対しても、例えば、必要に応じてカバー部２の湾曲辺２ａ側の幅を大きくする等により支障なく使用できる。
具体的には、図５に示すように、図中に破線で示す鉄塔１１（鉄塔１１の外形については図３を参照）から伸びるアーム（図示せず）の先端に配される被固定材５に、がいし６ｂを介して引張され、かつ、がいし固定材７ｃの鉛直下方側に垂下される縦長のがいし６ａを介して送電線固定具８により支持される送電線９の支持構造にも使用可能である。
【００２９】
より詳細には、図５に示すように、送電線９は、がいし６ｂを複数個連結してなる連結体の端部に設けられる送電線引張具１２により鉄塔１１に引張支持されている。なお、がいし６ｂの連結体は、鉄塔１１から伸びるアーム（図示せず）の先端に配される被固定材５に取設されるがいし固定材７ｃの側面に固定されている。すなわち、図５に示す送電線９の支持構造において、がいし固定材７ｃは、がいし６ａ，６ｂを支持している。
上述の図５に示すような送電線９の支持構造においては、被固定材５の両端部に設けられるがいし固定材７ｃの上面が平面状になっており、鳥類等が飛来した際の足場に適しているだけでなく、営巣場所としても適しており、特に後者の場合、がいし固定材７ｃ上に形成された巣から落下した巣材や雛が送電線９に接触して接触事故を引き起こすケースが多々あった。
【００３０】
図５に示すような送電線９の支持構造の場合には、例えば、がいし固定材７ｃを支持する被固定材５に、例えば、固定具４を介して鳥害防止具１の支持部３を取設することで、本実施の形態に係る鳥害防止具１のカバー部２によりがいし固定材７ｃの上面を被覆することができる。この場合、固定材７ｃの上面への鳥類等を含む生体の着地や生体による物体の載置、物体の落地を好適に妨げることができる。
また、この時、図５に示すように、カバー部２の稜線２ｄ方向と送電線９の伸長方向を一致させておくことで、万一、がいし固定材７ｃを被覆するカバー部２上に生体を含む物体が（飛来し）載ったり又は落下した場合に、カバー部２を滑落して落下した物体が送電線９に接触するのを防止することができる。
【００３１】
なお、本実施の形態に係る鳥害防止具１は、例えば、がいし６ａを固定するがいし固定材７ａやがいし固定材７ｃ上を被覆して、これらの上面側への生体を含む物体の着地や落地、載置を妨げるためのものであるが、カバー部２に取設される支持部３は、必ずしもがいし固定材７ａやがいし固定材７ｃに取設する必要はなく、カバー部２によりがいし固定材７ａの上面や、がいし固定材７ｃの上面を被覆できるのであれば、がいし固定材７ａ，７ｃの周囲にある架材等に鳥害防止具１の支持部３を固定してもよい。
また、本実施の形態に係る鳥害防止具１のカバー部２と、被覆対象である、例えば、がいし固定材７ａやがいし固定材７ｃの隙間に小鳥や小動物などが侵入したり、営巣する恐れがある場合は、支持部３の長さを短くしたり、湾曲辺２ａ下への侵入を防止するための被覆部材を配設する、あるいは、カバー部２の下面側に針状の突起物を設けて鳥類等の侵入を阻止するなどの方法がある。
さらに、本実施の形態においては、図３に示すような鉄塔１０から伸びるアーム１５の端部近傍における送電線９の支持構造に鳥害防止具１を取設する場合を例に挙げて説明しているが、図４，５に示すような送電線９の支持構造以外にも、例えば、電信柱に設けられる架材の端部における送電線の支持構造（簡易な構造のものを含む）にも支障なく使用可能である。
【産業上の利用可能性】
【００３２】
以上説明したように本発明は、鉄塔又は電信柱のアームの先端近傍においてがいしを固定するがいし固定具上を被覆して、このがいし固定具上への鳥類の飛来や営巣材の載置を防止するとともに、万一、このカバー部上に鳥類などの生体を含む物体が（飛来し）載ったり又は落下した場合に、送電線上への物体の滑落を好適に防止できる鳥害防止具であり、送電設備に関する分野において利用可能である。
【符号の説明】
【００３３】
１…鳥害防止具  ２…カバー部  ２ａ…湾曲辺  ２ｂ…端辺  ２ｃ…角  ２ｄ…稜線  ２ｅ…補強部材  ２ｆ…突面  ３…支持部  ４…固定具  ５…被固定材  ６ａ…がいし（支持がいし，長幹がいし）  ６ｂ…がいし  ７ａ〜７ｃ…がいし固定材  ８…送電線固定具  ９…送電線  １０，１１…鉄塔  １２…送電線引張具  １３…位置決孔  １４…鉄塔本体  １５…アーム  １６…地上
【図１】
2013153561.tif 000003
【図２】
2013153561.tif 000004
【図３】
2013153561.tif 000005
【図４】
2013153561.tif 000006
【図５】
2013153561.tif 000007